【事件の表示】
　平成　７年特許願第５０２０１０号「焦点ニューログラフィック磁気共鳴投影システム」拒絶査定不服審判事件〔平成　６年１２月２２日国際公開、ＷＯ９４／２９７４１、平成　９年　２月１０日国内公表、特表平　９−５０１３３０〕について、次のとおり審決する。
【結　論】
　本件審判の請求は、成り立たない。
【理　由】
第１．手続の経緯　
　本願は、平成６年６月６日（パリ条約による優先権主張外国庁受理、１９９３年６月４日、米国）を国際出願日とする出願であって、平成１６年９月２９日付けで拒絶査定がなされ、これに対し、平成１７年１月４日に拒絶査定不服の審判請求が行われるとともに、同年２月１日付けで手続補正が行われたものである。　
　
第２．平成１７年２月１日付け手続補正についての補正却下の決定　
［補正却下の決定の結論］　
　平成１７年２月１日付け手続補正を却下する。　
［理由］　
１．平成１７年２月１日付け手続補正（本件補正）　
　本件補正は、補正の内容として、特許請求の範囲について、補正前（平成１６年２月２５日付け手続補正書）の　
「【請求項１】　磁気共鳴撮像によって検査される患者の領域を少なくとも部分的に動かなくするスプリントと、前記患者の領域を検査するための磁界を生成するコイル構造の部分とを結合し、そのスプリントが検査されるべき身体部分に適合し、それにぴったり接する適合可能な壁を含んでいるスプリントコイル装置において、
　（ａ）磁気コイルは前記適合可能な壁の外側部分の周囲に形成され、検査されるべき身体部分の一部分を磁気共鳴撮像する時に使用するために第１、第２および第３の勾配磁界を設定し、第１、第２および第３の勾配磁界が互いに直交し、前記スプリントに関して固定しており、
　（ｂ）スプリントコイル装置は、磁気共鳴撮像で使用される均一な主静磁界に関して種々の方向に自由に位置されることが可能であることを特徴とするスプリントコイル装置。
【請求項２】　磁気共鳴撮像データを生成するために、前記スプリントコイル装置は外部的に生成された主静磁界内に配置され、さらに前記スプリントコイル装置の内部領域を通過する前記主静磁界の一部分に対して小量の調節を行うシムコイルを含んでいることを特徴とする請求項２記載のスプリントコイル装置。
【請求項３】　さらに、検査されている身体部分の磁気共鳴撮像に使用される均一な主静磁界内において特定の方向に前記スプリントコイル装置を位置させる安定化装置を備えていることを特徴とする請求項１記載のスプリントコイル装置。
【請求項４】　検査されるべき身体部分の磁気共鳴撮像に使用される均一な主静磁界は、磁気共鳴撮像装置の中央の穴に沿って生成され、さらに前記安定化装置は、スプリントコイル装置が装置の中央の穴内に位置されることを可能にするようにＭＲＩ装置と相互接続される支持フレームを含み、さらに前記均一な主静磁界に関して所望の方向に前記スプリントコイル装置を維持するように、一端が前記支持フレームに、また他端が前記スプリントコイル装置にそれぞれ結合された複数の伸長可能なロッドを含んでいることを特徴とする請求項３記載のスプリントコイル装置。
【請求項５】　さらに、前記第１、第２および第３の勾配磁界を生成する各コイルは、磁気共鳴撮像中に前記スプリントコイル装置に与えられる電磁誘導力を最小にするために平衡にされたトルク対のコイルとして形成されていることを特徴とする請求項１記載のスプリントコイル装置。
【請求項６】　さらに、身体部分の磁気共鳴撮像がなされている期間中にスプリントコイル内に配置された前記身体部分の領域へのアクセスを可能にするように前記適合可能な壁を通過する開口を有していることを特徴とする請求項１記載のスプリントコイル装置。
【請求項７】　さらに、前記スプリントコイル装置は、可搬性で操縦可能な支持フレームと、可搬性で操縦可能な支持フレームに取付けられた分離した磁界ソースとを含み、分離した磁界ソースの間の撮像領域において均一な主静磁界を生成する焦点磁石装置と共に使用され、前記可搬性で操縦可能な支持フレームおよび前記分離した磁界ソースが実質的に開放した構造を有し、前記スプリントコイル装置を受取り、前記撮像領域に位置されて、前記スプリントコイル装置内の身体部分が撮像されている間に、医療スタッフが前記スプリントコイル装置にアクセスすることを可能にしていることを特徴とする請求項１記載のスプリントコイル装置。
【請求項８】　さらに、前記スプリントコイル装置の前記適合可能な壁は、医療スタッフが前記スプリントコイル装置の内部領域内の身体部分の領域にアクセスすることを可能にする横方向のアクセスポートを含み、前記横方向のアクセスポートは、身体部分が撮像されている間に外科的処置を行うのに十分であることを特徴とする請求項７記載のスプリントコイル装置。
【請求項９】　さらに、前記焦点磁石装置の前記分離した磁界ソースは、空隙がハード磁石の間に形成されるように前記支持フレーム上に位置されたハード磁石であり、前記撮像領域が前記空隙と一致していることを特徴とする請求項７記載のスプリントコイル装置。」を、補正後の　
「【請求項１】　磁気共鳴撮像によって検査される患者の領域を少なくとも部分的に動かなくするスプリントと、前記患者の領域を検査するための磁界を生成するコイル構造の部分とを結合し、そのスプリントが検査されるべき身体部分に適合し、それにぴったり接する適合可能な壁を含んでいるスプリントコイル装置
を有する磁気共鳴撮像システムであって
　（ａ）
前記スプリントコイル装置は、
が
　（ｂ）スプリントコイル装置は、磁気共鳴撮像で使用される均一な主静磁界に関して種々の方向に自由に位置されることが可能であり、
　（ｃ）
検査されている身体部分の磁気共鳴撮像に使用される均一な主静磁界内において特定の方向に前記スプリントコイル装置を位置させる安定化装置を備え、
　（ｄ）
前記スプリントコイル装置は、可搬性で操縦可能な支持フレームと、可搬性で操縦可能な支持フレームに取付けられた分離した磁界ソースとを含み、分離した磁界ソースの間の撮像領域において均一な主静磁界を生成する焦点磁石装置と共に使用され、前記可搬性で操縦可能な支持フレームおよび前記分離した磁界ソースが実質的に開放した構造を有し、前記スプリントコイル装置を受取り、前記撮像領域に位置されて、前記スプリントコイル装置内の身体部分が撮像されている間に、医療スタッフが前記スプリントコイル装置にアクセスすることを可能にしていることを特徴とする磁気共鳴撮像システム。
【請求項２】　磁気共鳴撮像データを生成するために、前記スプリントコイル装置は
前記
１
磁気共鳴撮像システム。
【請求項３】　検査されるべき身体部分の磁気共鳴撮像に使用される均一な主静磁界は、磁気共鳴撮像装置の中央の穴に沿って生成され、さらに前記安定化装置は、スプリントコイル装置が装置の中央の穴内に位置されることを可能にするようにＭＲＩ装置と相互接続される支持フレームを含み、さらに前記均一な主静磁界に関して所望の方向に前記スプリントコイル装置を維持するように、一端が前記支持フレームに、また他端が前記スプリントコイル装置にそれぞれ結合された複数の伸長可能なロッドを含んでいることを特徴とする請求項
１
磁気共鳴撮像システム。
【請求項４】　さらに、前記第１、第２および第３の勾配磁界を生成する各コイルは、磁気共鳴撮像中に前記スプリントコイル装置に与えられる電磁誘導力を最小にするために平衡にされたトルク対のコイルとして形成されていることを特徴とする請求項１記載の
磁気共鳴撮像システム。
【請求項５】　さらに、
スプリントコイル装置は、
磁気共鳴撮像システム。
【請求項６】　さらに、前記スプリントコイル装置の前記適合可能な壁は、医療スタッフが前記スプリントコイル装置の内部領域内の身体部分の領域にアクセスすることを可能にする横方向のアクセスポートを含み、前記横方向のアクセスポートは、身体部分が撮像されている間に外科的処置を行うのに十分であることを特徴とする請求項
１または５
磁気共鳴撮像システム。
【請求項７】　さらに、前記焦点磁石装置の前記分離した磁界ソースは、空隙がハード磁石の間に形成されるように前記支持フレーム上に位置されたハード磁石であり、前記撮像領域が前記空隙と一致していることを特徴とする請求項
１
磁気共鳴撮像システム。
　なお、補正前の請求項７、及び補正後の請求項１（ｄ）には、「均一な主静電界を生成する焦点磁石装置」と記載されているが、磁石装置で静電界を生成することはなく、「均一な主静磁界を生成する焦点磁石装置」の明らかな誤記と認められるので、上記のように認定した。
　
２．補正の目的の適否の判断　
　請求の理由において、請求人が「出願人は請求項３と７の特徴を請求項１に付加するように請求項を訂正しました。」と述べているように、特許請求の範囲請求項１についての補正は、「検査されている身体部分の磁気共鳴撮像に使用される均一な主静磁界内において特定の方向に前記スプリントコイル装置を位置させる安定化装置」及び「可搬性で操縦可能な支持フレームと、可搬性で操縦可能な支持フレームに取付けられた分離した磁界ソースとを含み、分離した磁界ソースの間の撮像領域において均一な主静磁界を生成する焦点磁石装置と共に使用され、前記可搬性で操縦可能な支持フレームおよび前記分離した磁界ソースが実質的に開放した構造を有し、前記スプリントコイル装置を受取り、前記撮像領域に位置されて、前記スプリントコイル装置内の身体部分が撮像されている間に、医療スタッフが前記スプリントコイル装置にアクセスすることを可能にしている」との構成を付加するとともに、末尾の記載を「スプリントコイル装置」から「磁気共鳴撮像システム」に変更するものである。
　しかし、「安定化装置」及び「焦点磁石装置」を付加する点について、補正前の請求項１は、「安定化装置」或いは「焦点磁石装置」に対応する構成は備えていないから、この補正は、いわゆる外的付加に当たるものであり、補正前の請求項に記載された発明の構成に欠くことができない事項の全部又は一部を限定するものではなく、平成１８年改正前の特許法第１７条の２第３項第２号に規定する特許請求の範囲の減縮を目的とするものに該当するとは認められない。また、請求項の末尾の記載を「スプリントコイル装置」から「磁気共鳴撮像システム」に変更する点について、発明の対象を拡張するものであるから、この点においても平成１８年改正前の特許法第１７条の２第３項第２号に規定する特許請求の範囲の減縮を目的とするものに該当しない。
　また、上記補正が請求項の削除を目的とするものに該当するかを検討しても、補正前の請求項には、「安定化装置」（補正前の請求項３）及び「焦点磁石装置」（補正前の請求項７）を共に備える発明は記載されていないから、請求項の削除を目的とするものに該当するとはいえない。
　そして、上記補正が、誤記の訂正を目的とするものにも、また明りょうでない記載の釈明を目的とするものにも、該当しないことは明らかである。
　したがって、本件補正は、平成１８年改正前の特許法第１７条の２第４項の規定に違反するものであり、特許法第１５９条第１項で読み替えて準用する特許法第５３条第１項の規定により却下すべきものである。
　
３．独立特許要件について
　上記「２．」で述べたように、本件補正は、平成１８年改正前の特許法第１７条の２第４項に規定する「補正の目的」に違反するものであるが、仮に、特許請求の範囲の減縮を目的とするものに該当するとして、本件補正に係る発明が特許出願の際独立して特許を受けることができるものであるか（平成１８年改正前の特許法第１７条の２第５項において準用する同法第１２６条第５項の規定に適合するか）について検討する。　
　
（１）本願補正発明
　平成１７年２月１日付け手続補正書で補正された特許請求の範囲の請求項１に係る発明（以下、「本願補正発明」という。）は、請求項１に記載された事項により特定される、次のとおりのものである。
「【請求項１】　磁気共鳴撮像によって検査される患者の領域を少なくとも部分的に動かなくするスプリントと、前記患者の領域を検査するための磁界を生成するコイル構造の部分とを結合し、そのスプリントが検査されるべき身体部分に適合し、それにぴったり接する適合可能な壁を含んでいるスプリントコイル装置を有する磁気共鳴撮像システムであって、
　（ａ）前記スプリントコイル装置は、磁気コイルが前記適合可能な壁の外側部分の周囲に形成され、検査されるべき身体部分の一部分を磁気共鳴撮像する時に使用するために第１、第２および第３の勾配磁界を設定し、第１、第２および第３の勾配磁界が互いに直交し、前記スプリントに関して固定しており、
　（ｂ）スプリントコイル装置は、磁気共鳴撮像で使用される均一な主静磁界に関して種々の方向に自由に位置されることが可能であり、
　（ｃ）検査されている身体部分の磁気共鳴撮像に使用される均一な主静磁界内において特定の方向に前記スプリントコイル装置を位置させる安定化装置を備え、
　（ｄ）前記スプリントコイル装置は、可搬性で操縦可能な支持フレームと、可搬性で操縦可能な支持フレームに取付けられた分離した磁界ソースとを含み、分離した磁界ソースの間の撮像領域において均一な主静磁界を生成する焦点磁石装置と共に使用され、前記可搬性で操縦可能な支持フレームおよび前記分離した磁界ソースが実質的に開放した構造を有し、前記スプリントコイル装置を受取り、前記撮像領域に位置されて、前記スプリントコイル装置内の身体部分が撮像されている間に、医療スタッフが前記スプリントコイル装置にアクセスすることを可能にしていることを特徴とする磁気共鳴撮像システム。」
　
（２）引用例　
（２−１）原査定の拒絶の理由で引用例２として引用された、本願の優先権主張日前に頒布された刊行物である国際公開第９１／１７４５４号パンフレット（以下、「引用刊行物１」という。対応する日本出願の公表公報である特表平５−５０７００５号公報参照。）には、「核磁気共鳴（ＮＭＲ）装置に用いる磁界発生アセンブリ」に関する発明が記載されており、日本語訳で、図面とともに次の記載がある。　
ア．「１．ＮＭＲ装置で使用する磁界発生アセンブリにおいて、該磁界発生アセンブリは、作業領域において実質的に均等であるような第１の磁界を発生する第１の磁界発生手段を備え、この第１の磁界発生手段は、アセンブリ外部から前記作業領域中へ作業領域を通じる磁界方向を横切るような方向で検査対象が導入され得るようにして構成されており、前記磁界発生アセンブリは更に、１つ若しくは２つ以上の磁気こう配を作業領域を通してインポーズする磁気こう配発生手段を備えており、このこう配発生手段は、前記第１の磁界発生手段と相対的に移動可能とされており、作業領域内の検査対象の位置に対して局部的に位置付けられることを特徴とする磁界発生アセンブリ。
　２．請求項１記載のアセンブリにおいて、更に、前記磁気こう配発生手段と共に移動可能であるようにして載置されたＲＦコイルを備えているアセンブリ。
　３．請求項１若しくは２に記載のアセンブリにおいて、前記作業領域が前記第１の磁界発生手段によって形成された体積を越えて突出されているアセンブリ。
　４．請求項１若しくは２に記載のアセンブリにおいて、前記第１の磁界発生手段はＣ字磁石を備えるアセンブリ。
　・・・・・
　６．請求項１〜５のいづれかに記載のアセンブリにおいて、前記磁気こう配発生手段は、磁気こう配発生手段を前記作業領域に関していづれか１つ若しくは２つ以上の３つの直交方向に移動可能とさせるような支持構造に装着されているアセンブリ。」（請求の範囲）
イ．「本発明によれば、ＮＭＲ装置に用いる磁界発生アセンブリは、作業領域で実質的に均等であるような第１の磁界を発生する第１の磁界発生手段と、但し、この第１の磁界発生手段は、アセンブリ外部から作業領域中へ作業領域を通じる磁界方向を横切るような方向で検体対象物が導入され得るよう構成されており、また磁界発生アセンブリは、１つ若しくは２つ以上の磁気こう配を作業領域を通してインポーズする（impose）こう配磁界発生手段を備えており、但し、このこう配磁界発生手段は、第１の磁界発生手段と相対的に移動可能なものとされており、作業領域中の検体対象物の位置に対して局部的に位置づけられる。
　本出願人は、磁界発生アセンブリの完全に新しい形態を考案した。このアセンブリは、その構成及びＮＭＲ装置の使用に対する新たな解決策を意味する。こう配磁界発生手段（一般には、適当に設計されたコイルの形態とされている）自体を作業領域に隣接させ、若しくは作業領域内部に位置づけることが可能であり、また、検体対象物に接触させて位置づけることさえ可能である。このため、第１の磁界発生手段から離間させることができる。これは多数の重要な特徴を有する。
即ち、
　１．こう配磁界発生手段と対象物間の分離を減少させることにより、信号対雑音比が改善される。
　２．こう配磁界発生手段と第１の磁界発生手段のオープンアクセス（open　access）によって形成された小さな容積により、それら２つの間のほぼ全てのうず電流が除去される。
　３．人体用ＮＭＲイメージングの場合、このオープンアクセス型の磁界発生手段を用いることにより、患者の体を横切る主磁界を用いて患者を適当に位置づけることが可能である。このように、患者の体に対して横向きとされた主磁界を用いることにより、ソレノイドＲＦコイルを用いてイメージング試験に必要なＲＦパルスを与えることができる。
　４．実効性をより増大させるため、サンプルに特有のＲＦコイルを設計し、高いＱファクタを有するものとすることができる。
　５．強力なこう配磁界発生手段を対象物に近接させることにより、解像度が改善される。
　６．急速なこう配傾斜速度（gradient　ramp　rates）が可能である。
　７．患者に快適であり、発散される音も小さなものにされているため、人体イメージングの場合に特に有用である。
　８．従来の高価な素子の代わりに低コストの構成素子を用いることかできる。
　９．所定のこう配に必要な電流が従来のＮＭＲ装置と比べて小さいため、より高い実効性が生まれる。」（明細書第１頁第３５行から第３頁第１２行、対応する公表公報の第１頁右下欄第２３行から第２頁右上欄第１行）
ウ．「第１の例は、Ｕ字形態とされた鉄性本体２（第２図）と一対のフェライト極片３を備えたＣ字形態磁石ｌを使用したものである。非磁気テーブル４は極片３の間に配置されており、使用の際、この非磁気テーブル４の上に検体サンプルが横にされる。第１図から明かなように、磁気構造によって囲まれていないほとんどのサンプルと共に、極片３の間にサンプルを非常に容易に位置付けることができる。」（明細書第７頁第１〜８行、対応する公表公報の第３頁左上欄第１３〜１８行）
エ．「第２の例が第３図に示されている。この第２の例によれば、ソレノイド磁石５はテーブル６の片側に位置づけられている。ソレノイド磁石５は、テーブル６がその間を通じるような突出した一様領域を発生する。ソレノイド６の構成を、第４図でより詳細に見ることができる。このソレノイド６は、本明細書に参考として組み入れられている欧州特許第０１８７６９１号に記述されたソレノイドと同様である。磁石５は、クライオスタット５Ｂ内部に位置付けされた同軸の超電導コイル５Ａを有する。」（明細書第７頁第９〜１６行、対応する公表公報の第３頁左上欄第１９〜２５行）
オ．「第５図は、第１図及び第３図に示された装置両方で用いる一体型のｒｆ及びこう配コイルセットの一例を示したものである。こう配コイルは一対のＺこう配コイル７Ａ、７Ｂを備える。これらのコイルは、こう配コイルセットの原点８の周辺に対象的に設けられており、磁気こう配をＺ方向に発生する。４組のＹこう配コイル９Ａ、９Ｂが、原点８の周辺に対象的に位置づけられており、Ｙ方向に磁気こう配を発生する。４組のＸこう配コイル１０Ａ、１０Ｂが原点８の周辺に対象的に位置づけられており、Ｘ方向にこう配磁界を発生する。
　・・・・・
　こう配コイルに加え、２組のＲＦコイル１１Ａ、１１Ｂ及び１２Ａ、１２Ｂが、原点８の周辺に対象的に設けられている。
　全てのこう配及びｒｆコイルは巻型の上に載置されているため、それらのコイルを主磁石に対して相対的に移動させ、若しくは検体サンプルに対して局部的に位置決めすることができる。
　第６図は、Ｘこう配コイルｌ０Ａ、１０Ｂと、Ｚ方向の磁界成分の強度がＸにおいてどのように変化するかを破線で示したものである。
　この変化は第７図にも示されている。」（明細書第７頁第１７行から右上欄第９行、対応する公表公報の第３頁左上欄第２６行から右上欄第１９行）
カ．「第８図は、第３図及び第４図に示された「平坦」型磁石を用いたこう配コイル装置の一例を示す。この装置は、第５図に示された型のコイルセットを有する２組のこう配コイル１４、１５を備える。作業領域１６は、コイルセット１４、１５の間に形成されている。これらのコイルセットは、延長ロッドの形態をした支持部１６、１７の各対から吊るされており、これらのロッドはプレート１９の開口１８を通じて延長され、また支持プレート２０からぶら下がっている。開口１８は、ロッド１６、１７をある位置に固定するがＸ方向の圧力下においてはそれらのロッドを摺動させるような取付具（図示していない）を含む。プレート１９の横方向位置、Ｚ軸に沿ったコイルセット１４、１５は、支持部２３の開口２２に摺動可能に装着されたロッド２１上のプレートを支持することによって制御される。支持部２３は、支持部２３の開口２５を通じて延長されている円形ガイド２４上に摺動的に載置されているため、支持部２３をガイドにそって摺動させることが可能であり、故に、こう配コイルセット１４、１５はＹ方向に移動することになる。」（明細書第８頁第１０〜２９行、対応する公表公報の第３頁右上欄第２０行から左下欄第４行）
キ．第５図及び第３図から、２組のこう配コイル１４，１５は、ソレノイド磁石５と共に使用され、該ソレノイド磁石５が実質的に開放した構造を有し、２組のこう配コイル１４，１５を受取り、作業領域１６に位置されて、検査対象物が撮像されている間に、医療スタッフが２組のこう配コイル１４，１５にアクセス可能であること、が見て取れる。
　
　そして、核磁気共鳴（ＮＭＲ）装置において直流磁界、即ち静磁界を印加することが技術常識であるから、引用刊行物１記載の「第１の磁界」が「主静磁界」であることは明らかである。
　してみると、これらの記載、特に上記摘記事項エ．〜カ．及び第３，５，８図から、引用刊行物１には
「作業領域１６において実質的に均等であるような主静磁界を発生するソレノイド磁石５と、磁気こう配を作業領域１６を通してインポーズする２組のこう配コイル１４，１５（磁界発生アセンブリ）とを有する核磁気共鳴（ＮＭＲ）装置であって、
　前記２組のこう配コイル１４，１５は、Ｘこう配コイル１０Ａ，１０Ｂ、Ｙこう配コイル９Ａ，９Ｂ及びＺこう配コイル７Ａ，７Ｂが作業領域１６の外側部分の周囲に形成され、人体を含む検査対象物の一部分を磁気共鳴撮像する時に使用するためにＸ方向、Ｙ方向及びＺ方向のこう配磁界を設定し、Ｘ方向、Ｙ方向及びＺ方向のこう配磁界が互いに直交し、
　前記２組のこう配コイル１４，１５は、磁気共鳴撮像で使用される均等な主静磁界に関して種々の方向に相対的に移動可能とされており、
　人体を含む検査対象物の磁気共鳴撮像に使用される均等な主静磁界内において特定の方向に前記２組のこう配コイル１４，１５を位置させる、円形ガイド２４上に摺動的に載置されている支持部２３、該支持部２３に摺動可能に装着されたロッド２１、該ロッド２１上に支持されたプレート１９、及び該プレート１９に摺動可能でありこう配コイル１４，１５を吊している支持部１６，１７からなる支持構造を備え、
　２組のこう配コイル１４，１５は、作業領域１６において均等な主静磁界を生成するソレノイド磁石５と共に使用され、該ソレノイド磁石５が実質的に開放した構造を有し、前記２組のこう配コイル１４，１５を受取り、前記作業領域１６に位置されて、前記２組のこう配コイル１４，１５内の検査対象物が撮像されている間に、医療スタッフが前記２組のこう配コイル１４，１５にアクセスすることを可能にしている核磁気共鳴装置。」（引用刊行物１記載の発明）が記載されているものと認められる。　
　
（２−２）原査定の拒絶の理由で引用例１として引用された、本願の優先権主張日前に頒布された刊行物である特開昭６３−２５２１４２号公報（以下、「引用刊行物２」という。）には、「磁気共鳴映像装置」に関する発明が記載されており、図面とともに次の記載がある。
ク．「（１）被検体に一様な静磁場を印加するとともに、勾配磁場をスイッチングさせてパルス的に印加し、被検体内からの磁気共鳴信号を検出して映像化する磁気共鳴映像装置において、主勾配磁場コイルよりも小形で、被検体の一部に設置して傾斜磁場を与える局所用勾配磁場コイルを具備し、特定部位の高速イメージングを行なう事を特徴とした磁気共鳴映像装置。
（２）特許請求の範囲第１項記載の磁気共鳴映像装置において、局所用勾配磁場コイルは、均一静磁場発生コイルを含む装置本体や寝台等に固定せず、被検体の任意部位に移動して使用できる様、装置本体等を分離型にした事を特徴とする磁気共鳴映像装置。」（特許請求の範囲）
ケ．「このような構成によると、コイルが小型であるため、インダクタンスＬが小さく、又、単位電流当りの発生磁場強度も大きいため、従来の画像再構成用の勾配磁場用電源で高速スイッチングが可能である。また局所用勾配コイルでは被検体の一部の領域しか画像化できないが、この点を解決するため、均一静磁場発生用コイルを含む装置本体や、寝台等と一体化しない分離型の勾配コイルを用いる。さらに、サーフェスコイルと組み合わせる事により局所の高分解能高速イメージングが可能である。」（第２頁左下欄第１〜１１行）
コ．「本発明はこのような構成において、勾配磁場生成コイル（主勾配磁場コイル）３９に加え局所用勾配磁場生成コイル（以下局所用勾配コイルという）１９が設けられていることを特徴とする。第２図、第３図は、その磁場共鳴映像装置に用いられる局所用勾配コイルの一実施例であり、レクタンギュラーカレントループ（Rectanguler　Current　Loop）と呼ばれる勾配コイルを用いた例である。この勾配コイルは第２図の様に平行な２枚のコイル取付板３６で構成できるため、マクスウェルペアとゴレイコイルの組合わせによる勾配コイルの様に、円周状の枠組を必要とせず、体の一部を押入して撮像するのに都合が良い。すなわち局所用勾配コイル１９の構成にある２枚のコイル取付板３６の距離を、枠１８の一方で固定しもう一方の端は開放にしておき、そちらから体へ装着する。装着の方法は、第３図に示す様に、静磁場発生用コイルのタイプに合わせて測定部位の側方から、あるいは正面からのいづれの方向からも可能であり、それぞれの形状に合わせた勾配コイルを用意しておく事で、達成できる。このとき、コイルの中心と撮像領域の中心を合わせやすい様、形状を決めておく。例えば、２枚のコイル取付板３６の厚さを同一とせず、一方はスペーサ代りに厚くしておけば、撮像部位をのせるだけで中心に合わせる事ができる。また、異った部位の撮像のため、厚み可変のスペーサとすることもできる。
　その他種々の変形実施が可能である。例えば、一方を開放せず、両端とも固定した形状としても良い。又、２枚のコイル取付板３６を互いに支持するのでなく、寝台あるいは他の構造物から支持する様にしても良い。」（第３頁左上欄第１８行から左下欄第９行）
サ．「以上説明したように本発明によると高速イメージングを行なうのに高価な電源を必要とせず、従来装置の電源のままで高速イメージングが可能である。また、コイルが移動可能であることにより、高速イメージングが特に必要な心臓や腹部の撮像を高速イメージングで行ない、他は従来法で行なうといった利用も可能である。さらに、サーフェスコイルとの組み合わせにより高Ｓ／Ｎ、高分解能の高速イメージングが可能である。」（第６頁左上欄第１４行から右上欄第２行）
シ．第２図には、平行な２枚のコイル取付板３６が壁を構成し、該コイル取付板３６に局所用勾配コイル１９を取り付けることが、また、第３図には、２枚のコイル取付板３６の間に被検体の身体の一部を密接させて装着することが、それぞれ示されている。
　
（３）対比・判断　
　本願補正発明と上記引用刊行物１記載の発明とを対比する。　
　引用刊行物１記載の発明の「磁気こう配を作業領域１６を通してインポーズする２組のこう配コイル１４，１５（磁界発生アセンブリ）」は、本願補正発明の「スプリントコイル装置」と、患者の領域を検査するための磁界を生成するコイル構造の部分を有するコイル装置という点で共通するものである。
　引用刊行物１記載の発明の「前記２組のこう配コイル１４，１５は、Ｘこう配コイル１０Ａ，１０Ｂ、Ｙこう配コイル９Ａ，９Ｂ及びＺこう配コイル７Ａ，７Ｂが作業領域１６の外側部分の周囲に形成され、人体を含む検査対象物の一部分を磁気共鳴撮像する時に使用するためにＸ方向、Ｙ方向及びＺ方向のこう配磁界を設定し、Ｘ方向、Ｙ方向及びＺ方向のこう配磁界が互いに直交し、」という構成は、本願補正発明の「前記スプリントコイル装置は、磁気コイルが前記適合可能な壁の外側部分の周囲に形成され、検査されるべき身体部分の一部分を磁気共鳴撮像する時に使用するために第１、第２および第３の勾配磁界を設定し、第１、第２および第３の勾配磁界が互いに直交し、」という構成に相当するものである。
　引用刊行物１記載の発明の「前記２組のこう配コイル１４，１５は、磁気共鳴撮像で使用される均等な主静磁界に関して種々の方向に相対的に移動可能とされており、」という構成は、本願補正発明の「スプリントコイル装置は、磁気共鳴撮像で使用される均一な主静磁界に関して種々の方向に自由に位置されることが可能であり、」という構成に相当するものである。
　引用刊行物１記載の発明の「円形ガイド２４上に摺動的に載置されている支持部２３、該支持部２３に摺動可能に装着されたロッド２１、該ロッド２１上に支持されたプレート１９、及び該プレート１９に摺動可能でありこう配コイル１４，１５を吊している支持部１６，１７からなる支持構造」が、本願補正発明の「安定化装置」に相当することは、明らかである。　
　引用刊行物１記載の発明の「作業領域１６において均等な主静磁界を生成するソレノイド磁石５」は本願補正発明の「撮像領域において均一な主静磁界を生成する焦点磁石装置」と対応するものであり、引用刊行物１記載の発明の「該ソレノイド磁石５が実質的に開放した構造を有し、前記２組のこう配コイル１４，１５を受取り、前記作業領域１６に位置されて、前記２組のこう配コイル１４，１５内の検査対象物が撮像されている間に、医療スタッフが前記２組のこう配コイル１４，１５にアクセスすることを可能にしている」という構成は、本願補正発明の「実質的に開放した構造を有し、前記スプリントコイル装置を受取り、前記撮像領域に位置されて、前記スプリントコイル装置内の身体部分が撮像されている間に、医療スタッフが前記スプリントコイル装置にアクセスすることを可能にしている」という構成に相当するものである。
　さらに、引用刊行物１記載の発明の「核磁気共鳴（ＮＭＲ）装置」は、本願補正発明の「磁気共鳴撮像システム」に対応するものである。
　したがって、両者は
「患者の領域を検査するための磁界を生成するコイル構造の部分を含んでいるコイル装置を有する磁気共鳴撮像システムであって、
　（ａ）前記コイル装置は、磁気コイルが外側部分の周囲に形成され、検査されるべき身体部分の一部分を磁気共鳴撮像する時に使用するために第１、第２および第３の勾配磁界を設定し、第１、第２および第３の勾配磁界が互いに直交し、
　（ｂ）コイル装置は、磁気共鳴撮像で使用される均一な主静磁界に関して種々の方向に自由に位置されることが可能であり、
　（ｃ）検査されている身体部分の磁気共鳴撮像に使用される均一な主静磁界内において特定の方向に前記コイル装置を位置させる安定化装置を備え、
　（ｄ）前記コイル装置は、撮像領域において均一な主静電界を生成する焦点磁石装置と共に使用され、前記焦点磁石装置が実質的に開放した構造を有し、前記コイル装置を受取り、前記撮像領域に位置されて、前記コイル装置内の身体部分が撮像されている間に、医療スタッフが前記コイル装置にアクセスすることを可能にしている磁気共鳴撮像システム。」である点で一致し、次の点で相違すると認められる。　
（相違点１）　
　コイル装置に関して、本願補正発明では、コイル装置が「磁気共鳴撮像によって検査される患者の領域を少なくとも部分的に動かなくするようにするスプリントと、コイル構造の部分とを結合し、そのスプリントが検査されるべき身体部分に適合し、それにぴったり接する適合可能な壁を含んでいる」ものであり、コイル装置が「スプリントに関して固定」しており、「スプリント」コイル装置であるのに対して、引用刊行物１記載の発明では、これらのスプリントに関する構成を備えていない点。
（相違点２）
　焦点磁石装置に関して、本願補正発明では、焦点磁石装置が、可搬性で操縦可能な支持フレームと、可搬性で操縦可能な支持フレームに取付けられた分離した磁界ソースとを含むものであり、可搬性で操縦可能な支持フレームおよび分離した磁界ソースが実質的に開放した構造を備えているのに対して、引用刊行物１記載の発明では、可搬性で操縦可能な支持フレームや分離した磁界ソースに関する構成を備えていない点。
　
　上記相違点について検討する。　
　相違点１について、
　先ず、本願補正発明の構成の「スプリント」とは、明細書第１０頁第２２，２３行に「スプリント（splint）」と記載されていることから、英語の「splint」に対応するもので、「副木、当木」を意味すると解される。
　そして、上記（２−２）の引用刊行物２の摘記事項から、引用刊行物２には、被検体の任意部位に移動して使用できるように、装置本体に対して分離型とした局所用勾配磁場コイルにおいて、被検体の身体の一部に装着するコイル取付板（本願補正発明の「スプリント」に相当）に、局所用勾配コイルを設け、該コイル取付板が被検体である身体に適合し、身体に適合可能な壁を含ませることが示唆されている。そして、引用刊行物１記載のコイル装置は、同様に局所用勾配磁場を生成するコイル装置であって、該コイル装置においても、被検体である身体の一部と勾配磁界との位置関係を規定する必要があることは明らかであるから、引用刊行物１記載のコイル装置に、この技術的思想を用いて、磁気共鳴撮像によって検査される患者の領域を少なくとも部分的に動かなくするようにするスプリントと、コイル構造の部分とを結合し、そのスプリントが検査されるべき身体部分に適合し、それにぴったり接する適合可能な壁を含むように構成することは、当業者ならば容易に想到し得たものと認められる。
　
　相違点２について、
　磁気共鳴撮像装置の静磁場装置において、移動可能、即ち可搬性で操縦可能な支持フレームに静磁場発生手段を取り付けること、或いは支持フレームに取付けられた分離した磁界ソースで構成することは、特開昭６２−１１７５４１号公報（マグネット１９，２０及びマグネット支え２１，２５に関する記載）、特開昭６３−２２０８５３号公報、米国特許第５１５３５４６号明細書にみられるように周知であり、引用刊行物１には上記摘記事項ウ．に、静磁場装置として、一対のフェライト極片を備えたＣ字形磁石を用いることも示されているから、これら周知技術を引用刊行物１記載の発明の均等な主静磁界を生成する手段に用いて、焦点磁石装置が、可搬性で操縦可能な支持フレームと、可搬性で操縦可能な支持フレームに取付けられた分離した磁界ソースとを含むように構成することは当業者ならば容易に想到し得たものと認められる。
　
　そして、本願補正発明の作用効果も、引用刊行物１記載の発明、引用刊行物２記載の発明及び上記周知技術から当業者であれば予測できる範囲のものである。
　
（４）むすび
　以上のとおり、本願補正発明は、引用刊行物１記載の発明、引用刊行物２記載の発明及び上記周知技術に基づいて、当業者が容易に発明をすることができたものであるから、特許法第２９条第２項の規定により特許出願の際に独立して特許を受けることができないものである。　
　したがって、本件補正は、平成１８年改正前の特許法第１７条の２第５項において準用する同法第１２６条第５項の規定に違反するものであり、特許法第１５９条第１項で読み替えて準用する同法第５３条第１項の規定により却下すべきものである。　
　
第３．本願発明について　
１．本願発明　
　平成１７年２月１日付け手続補正は上記のとおり却下されたので、本願の請求項１に係る発明は、平成１６年２月２５日付け手続補正書で補正された明細書の特許請求の範囲請求項１に記載された事項により特定される、次のとおりのものである。（以下、「本願発明」という。）
「【請求項１】　磁気共鳴撮像によって検査される患者の領域を少なくとも部分的に動かなくするスプリントと、前記患者の領域を検査するための磁界を生成するコイル構造の部分とを結合し、そのスプリントが検査されるべき身体部分に適合し、それにぴったり接する適合可能な壁を含んでいるスプリントコイル装置において、
　（ａ）磁気コイルは前記適合可能な壁の外側部分の周囲に形成され、検査されるべき身体部分の一部分を磁気共鳴撮像する時に使用するために第１、第２および第３の勾配磁界を設定し、第１、第２および第３の勾配磁界が互いに直交し、前記スプリントに関して固定しており、
　（ｂ）スプリントコイル装置は、磁気共鳴撮像で使用される均一な主静磁界に関して種々の方向に自由に位置されることが可能であることを特徴とするスプリントコイル装置。」
　
２．引用例　
　原査定の拒絶の理由で引用例１として引用した引用刊行物２には、上記「第２．３．（２−２）」の摘記事項ク．〜シ．の記載がある。　
　そして、引用刊行物２記載の「２枚のコイル取付板３６」は、被検体の身体の一部に密接して装着されるものであるから、「身体にぴったり接する適合可能な壁」を含んでいるということができる。
　したがって、引用刊行物２には、「磁気共鳴映像装置に用いられる局所用勾配磁場コイル装置であって、被検体の身体の一部に密接して装着される２枚のコイル取付板３６に、局所用勾配コイル１９を取り付け、その２枚のコイル取付板３６が被検体の身体にぴったり適合可能な壁を含んでいる局所用勾配磁場コイル装置において、
　局所用勾配コイル１９は、２枚のコイル取付板３６の外側部分の周囲に形成され、被検体の身体の一部を磁気共鳴撮像する時に使用するために勾配磁界を設定し、コイル取付板３６に関して固定されており、
　局所用勾配磁場コイル装置は、磁気共鳴撮像で使用される一様な静磁場に関して自由に移動できる、
　局所用勾配磁場コイル装置。」（引用刊行物２記載の発明）が記載されていると認められる。　
　
３．対比・判断　
　本願発明と引用刊行物２記載の発明とを対比する。
　引用刊行物２記載の発明の「２枚のコイル取付板３６」は、被検体の身体の一部に密接して装着されるものであるから、本願発明の「スプリント」に相当するものである。
　また、引用刊行物２記載の「局所用勾配コイル１９」は、本願発明の「患者の領域を検査するための磁界を発生するコイル構造の部分」及び「磁気コイル」に相当するものである。
　さらに、引用刊行物２記載の発明の「局所用勾配磁場コイル装置」は、本願発明の「スプリントコイル装置」に対応するものである。
　したがって、両者は、「磁気共鳴撮像によって検査される患者の領域を少なくとも部分的に動かなくするスプリントと、前記患者の領域を検査するための磁界を生成するコイル構造の部分とを結合し、そのスプリントが検査されるべき身体部分に適合し、それにぴったり接する適合可能な壁を含んでいるスプリントコイル装置において、
　（ａ）磁気コイルは前記適合可能な壁の外側部分の周囲に形成され、検査されるべき身体部分の一部分を磁気共鳴撮像する時に使用するために勾配磁界を設定し、前記スプリントに関して固定しており、
　（ｂ）スプリントコイル装置は、磁気共鳴撮像で使用される均一な主静磁界に関して種々の方向に自由に位置されることが可能であるスプリントコイル装置。」で一致し、次の点で相違するものと認められる。
（相違点）
　磁気コイルが、本願発明では、第１、第２および第３の勾配磁界を設定し、第１、第２および第３の勾配磁界が互いに直交しているのに対して、引用刊行物２には、勾配磁界を設定することは記載されているが、第１、第２および第３の勾配磁界を設定し、第１、第２および第３の勾配磁界が互いに直交していることは記載されていない点。
　
　この相違点について検討すると、
　磁気共鳴撮像装置の勾配磁界装置において、磁気コイルが、第１、第２および第３の勾配磁界を設定し、第１、第２および第３の勾配磁界が互いに直交するように構成することは、引用刊行物１の上記摘記事項オ．にみられるように周知の技術であって、この周知技術を用いて、上記相違点に係る構成とすることは当業者が適宜採用する事項である。
　
　そして、本願発明の作用効果も、引用刊行物２記載の発明及び上記周知技術から当業者であれば予測できる範囲のものである。
　
４．むすび　
　以上のとおり、本願発明は、引用刊行物２記載の発明及び周知技術に基づいて、当業者が容易に発明をすることができたものであるから、特許法第２９条第２項の規定により特許を受けることができない。　
　したがって、請求項２〜１９に係る発明について審理するまでもなく、本件出願は拒絶されるべきものである。　
　よって、結論のとおり審決する。